(57)【要約】【課題】従来の水切りコップは、水切りコップ立てを固定するために壁面等の立ち上がり面が必要であったり、倒立したコップ内底部が水平で水が流れにくい構造のものもあったり、外観がシンプルでなかったり、コップ内壁部や内底部が水切りコップ立てに接触して衛生的にも良くないという不具合があったりした。  本発明は、以上の課題を解決するためにコップの開口部や内部に全く何も接触しない清潔で衛生的な、簡単操作で、早めに水切りができ、シンプルな外観デザインで、製造が容易に出来て、低コストで、壁面が無くても卓上で使用できる、使い勝手の良い構造の、水切りコップとそのコップ立てを提供する。【解決手段】水切りコップの取手上部一部や該コップ本体の上部一部に窪み箇所を設け、水切りコップ立ての側面周囲、あるいは上部に、水切りコップ乗せを設けたことを特徴とする水切りコップとそのコップ立て。【選択図】図２５
2012030027.tif 000002
【特許請求の範囲】
【請求項１】
水切りコップに於いて、取手付きコップの取手ネック上部箇所や、該取手付きコップの取手ネックおよび取手の立ち上がり保持部を除く取手上部一部箇所や、該取手付きコップの取手ネック近くの該コップ本体の上部一部箇所に、または取手無しコップの該コップ本体の上部一部箇所に適度な巾と深さの窪みを設け、窪みの最上部箇所に適度な湾曲や傾斜等の上方に向かって広くなる形状を設けた事を特徴とする水切りコップ。
【請求項２】
請求項１記載の該コップを保持する卓上置きのコップ立てに於いて、台座の周囲縁と底部を残して該コップの開口部の外周縁がちょうど収まる形状にくり抜いた水溜め台座を設け、前記台座の一部箇所を側面に適度に張り出し設け、前記張り出し箇所の適度な上面に水切りコップ乗せを立ち上げ設け、前記水切りコップ乗せの厚み巾を該コップに設けた窪みの巾よりやや適度に狭い厚み巾に設け両者間に適度な余裕空間を設け、前記水切りコップ乗せの最上部箇所の断面形状を湾曲や逆Ｖ字形等の形をした上方に向かって狭くなる形状に設け、前記水切りコップ乗せの適度な高さの側面に歯ブラシ立てをせり出し設けたことを特徴とする請求項１記載の水切りコップのコップ立て。
【請求項３】
請求項１記載の該コップを保持する卓上置きのコップ立てに於いて、歯磨き保持具本体の側面周囲に水切りコップ乗せをせり出し設け、前記水切りコップ乗せの最下部に転倒防止脚を設け、前記歯磨き保持具本体の上部に歯ブラシ立て又はハミガキ立ての穴を設け、前記歯磨き保持具本体の側面周囲に前記水切りコップ乗せを差し込む差込み穴を設け、前記歯磨き保持具本体の最下部に着脱自在台座を設け、前記水切りコップ乗せの厚み巾を該コップに設けた窪みの巾よりやや適度に狭い厚み巾に設けて両者間に適度な余裕空間を設け、前記水切りコップ乗せの最上部箇所の断面形状を湾曲や逆Ｖ字形等の形をした上方に向かって狭くなる形状に設けた事を特徴とする歯磨き保持具付きの請求項１記載の水切りコップのコップ立て。
【発明の詳細な説明】
【技術分野】
【０００１】  本発明は、衛生的に水切りできる水切りコップとそのコップ立てに関するものである。
【背景技術】
【０００２】  従来、コップは使用後、開口部を上に向けて卓上等に置いたり、開口部を下に向けておいたりしている。開口部を上に向けた場合はコップ内部に残留水が残り雑菌繁殖の原因ともなりゴミ、埃が入りやすく不衛生であるという不具合がある。また、開口部を下に向けておいた場合も、水がコップの内部に溜まりにくくなるものの、卓上等の衛生状態によってはコップ開口縁部が汚れて不衛生である。
なお、このような不具合に対して、例えば特許文献１に開示された水切りコップでは取手に係止孔が形成されており、不使用時に壁面等の立ち上がり面に固定された係止フックに係止孔を係合したときに、コップ本体の開口部が斜め下向きになるように設けられて水切りを行うものが知られている（特許文献１参照）。
また、特許文献２に開示された水切りコップではコップ本体の外周部に突状部の被保持部を設け、不使用時にコップを倒立させ被保持部を壁面等の立ち上がり面に固定された着脱自在の保持部に係止させて水切りを行うものも知られている（特許文献２参照）。
その他、市販の卓上用のもので、図５５や図５６のような形状の水切りコップ立てとハミガキ立てと歯ブラシ立ての一体物があるが、その水切りコップ立ての立ち上がり部分に倒立させたコップの内部を差し込み保持し、水切りを行うものも知られている。
【先行技術文献】
【０００３】
【特許文献１】特開２００４−１８７７９４号公報
【特許文献２】特開２００１−２５４３３号公報
【発明の概要】
【発明が解決しようとする課題】
【０００４】  しかしながら、これらには次のような問題点があった。
特許文献１の場合の水切りコップはコップ取手の係止孔を係合させるための係止フックを固定するために壁面等の立ち上がり面を必要とする事である。【０００５】  また、特許文献２の場合の水切りコップはコップに設けた被保持部を係止させるための保持部を固定するために壁面等の立ち上がり面を必要とし、コップ本体を垂直下向きに保持するためコップ内底部がほぼ水平で水が流れる勾配が少なく、水切れに時間がかかるという不具合がある。また、コップ本体の外周側に被保持部を設ける場合は突状部を設けてあるので、製造材料と手間が増えてコストアップになるという不具合もある。突状部を設ければコップ外観形状も複雑となりデザイン的にも好ましくないし、突状部が邪魔になり使用しにくいという不具合もある。【０００６】  また、市販の卓上用のハミガキ立てと歯ブラシ立てとの一体物の水切りコップ立ての場合は、差し込んだコップの開口部や内壁や内底部のいずれかに水切りコップ立てが接触して衛生的にも良くないという不具合がある。
そこで、本発明は以上の問題点を解決するために提案されたものであって、コップの開口部や内部に全く何も接触しない清潔で衛生的な、簡単操作で、早めに水切りができ、シンプルな外観で、製造が容易に出来て、低コストで、壁面が無くても卓上で使用できる使い勝手の良い構造の、水切りコップとそのコップ立てを提供することを課題とする。
【課題を解決するための手段】
【０００７】  請求項１に於いては水切りコップについてであるが、取手付きコップの場合と取手無しコップの場合があり、先ず取手付きコップの場合は、該取手付きコップの取手ネック上部箇所や、該取手付きコップの取手ネックおよび取手の立上がり保持部を除く取手上部一部箇所や、又は該取手付きコップの取手ネック近くの該コップ本体の上部一部箇所に、適度な巾と深さの窪みを設けた事を特徴とする水切りコップ。【０００８】  次に取手無しコップの場合は、該取手無しコップ本体の上部一部箇所に適度な巾と深さの窪みを設けた事を特徴とする水切りコップ。【０００９】  前記請求項１記載の取手付きコップや取手無しコップに設けた窪みの最上部箇所に、適度な湾曲や傾斜等の上方に向かって広くなる形状を設けた事を特徴とする水切りコップ。【００１０】  請求項２に於いては請求項１記載の水切りコップを保持する卓上置きのコップ立てについてであるが、台座の周囲縁と底部を残して該コップの開口部の外周縁がちょうど収まる形状にくり抜いた水溜め台座を設け、前記台座の一部箇所を側面に適度に張り出し設け、前記張り出し箇所の適度な上面に水切りコップ乗せを立ち上げ設け、前記水切りコップ乗せの適度な高さの側面に歯ブラシ立てをせり出し設けたことを特徴とする請求項１記載の水切りコップのコップ立て。【００１１】  請求項３に於いては請求項１記載の水切りコップを保持する卓上置きのコップ立てについてであるが、歯磨き保持具本体の側面周囲に水切りコップ乗せをせり出し設けた事を特徴とする請求項１記載の水切りコップのコップ立て。【００１２】  請求項３記載の該コップ立てに於いて、歯磨き保持具本体の側面周囲にせり出し設けた水切りコップ乗せの最下部に、転倒防止脚を設けた事を特徴とする請求項１記載の水切りコップのコップ立て。【００１３】  請求項３記載の該コップ立てに於いて、歯磨き保持具本体上部にハミガキ立て又は歯ブラシ立ての穴を設け、歯磨き保持具本体の側面周囲に水切りコップ乗せに設けた着脱自在差込みを差し込むための差込み穴を設け、歯磨き保持具本体の最下部に着脱自在台座を設けた事を特徴とする請求項１記載の水切りコップのコップ立て。【００１４】  請求項２，３記載の該コップ立てに於いて、該コップ立てに設けた水切りコップ乗せの厚み巾を、請求項１記載の水切りコップに設けた窪みの巾よりやや適度に狭い厚み巾に設けて、両者間に適度な余裕空間を設けた事を特徴とする請求項１記載の水切りコップのコップ立て。【００１５】  請求項２，３記載の該コップ立てに於いて、該コップ立てに設けた水切りコップ乗せの最上部箇所の断面形状を、湾曲や逆Ｖ字形等の形をした上方に向かって狭くなる形状に設けた事を特徴とする請求項１記載の水切りコップのコップ立て。
本発明は、以上の構成よりなる事を特徴とする水切りコップとそのコップ立てである。
【発明の効果】
【００１６】  本発明の、請求項１記載の水切りコップを歯磨きや飲用やうがいや計量等に使用後、該水切りコップの取手上部一部箇所又は該水切りコップ本体上部一部箇所に設けた窪み部分を、請求項２、３に記載のコップ立てに設けたコップ乗せの上部箇所に差し込み保持させた時、該水切りコップは傾斜倒立状態となり開口部が下を向くので、該水切りコップ内部の残留水が重力と勾配の原理により自然落下して水切りが良くなり、またゴミ、埃も入らないという効果がある。【００１７】  本発明の、請求項１記載の水切りコップの内底部の残留水は、該水切りコップの取手上部一部箇所又は、該水切りコップ本体上部一部箇所に設けた窪みの巾と、請求項２，３記載のコップ立てに設けたコップ乗せの厚み巾との適度差の余裕空間を設けたことにより、ならびに、前記コップ乗せの上部箇所を支点として該水切りコップ本体が自重によりやや傾斜状態になることにより、該水切りコップ内底部は勾配がつき垂直下向きで内底部が水平の場合よりも水切れが早まる効果がある。【００１８】  本発明の、請求項１記載の水切りコップは、余分な突起物付属品が無くて外観デザインがシンプルで好ましく、使い易く、従って製造コストもアップしないという効果がある。【００１９】  本発明の、請求項１記載の水切りコップと該水切りコップを保持する請求項２，３記載のコップ立ての組み合わせ使用は、該水切りコップ本体開口部と内部全てが前記コップ立てや他の箇所にも接触する箇所が全く無いので、雑菌繁殖の原因が無くて清潔安全であるという効果がある。【００２０】  本発明の、請求項１記載の水切りコップと該水切りコップを保持する請求項２，３記載のコップ立てとの着脱操作は、前記コップ立てに設けたコップ乗せの厚み巾と該水切りコップに設けた窪みの巾との適度差の余裕空間により、ならびに、コップ乗せ最上部に設けた適度な湾曲Ｒや逆Ｖ字形等の、上方に向かって狭くなる形状と、該水切りコップに設けた窪みの最上部の適度な湾曲Ｒや傾斜等の、上方に向かって広くなる形状との組み合わせにより、スムースな誘導で着脱操作が出来るという効果がある。【００２１】  本発明の、請求項１記載の水切りコップと該水切りコップを保持する請求項２、３記載のコップ立ては、卓上置きであるのでコップ立てを設けるための壁面が無い場所でも使用できるという効果がある。【００２２】  本発明の、請求項２記載の卓上置きの歯ブラシ立て付き水切りコップ立ては、請求項１記載の水切りコップの取手またはコップ本体の上部に設けた窪みを、該水切りコップ立てに設けた水切りコップ乗せに差し込むだけの簡単操作で該水切りコップが傾斜倒立し、早く水切りが出来るという効果がある。【００２３】  本発明の、請求項２記載の卓上置きの歯ブラシ立て付き水切りコップ立ては、外観デザインがシンプルで好ましく、部品製造が容易でコストもアップしないという効果がある。【００２４】  本発明の、請求項２記載の卓上置きの歯ブラシ立て付き水切りコップ立ては、水溜め台座を設けているので水切りにより周囲を濡らさないという効果がある。【００２５】  本発明の、請求項２記載の卓上置きの歯ブラシ立て付き水切りコップ立ては、請求項１記載の水切りコップとほぼ同サイズの大���さなので置くスペースを余分に取らないという効果がある。【００２６】  本発明の、請求項２記載の卓上置きの歯ブラシ立て付き水切りコップ立ては、歯ブラシ立てが着脱自在であるので歯磨き行為以外の飲用行為やうがい行為や計量行為等の場合は歯ブラシ立てを取り付けないでも良く、必要の有無に応じて着脱の選択ができるという効果がある。【００２７】  本発明の、請求項２記載の卓上置きの歯ブラシ立て付き水切りコップ立ては、コップ本体外周面が円形の請求項１の水切りコップでは、全体を倒立させれば歯ブラシ立て付きキャップとしても使用できるという多機能効果があり、また、コップ本体外周面が円形でない請求項１の水切りコップでは、着脱自在水切りコップ乗せと着脱自在歯ブラシ立てを取り外した水溜め台座のみを倒立させてキャップとして使用できるという多機能効果がある。【００２８】  本発明の、請求項３記載の卓上置きの歯磨き保持具付き水切りコップ立ては、コップ乗せが着脱自在であるので使用人数や置くスペースに応じて該コップ乗せの着脱数の加減調整が出来るという効果がある。【００２９】  本発明の、請求項３記載の卓上置きの歯磨き保持具付き水切りコップ立ては、請求項１記載の水切りコップの取手またはコップ本体の上部に設けた窪みを、該水切りコップ立てに設けた水切りコップ乗せに差し込むだけの簡単操作で該水切りコップが傾斜倒立し、早く水切りが出来るという効果がある。【００３０】  本発明の、請求項３記載の卓上置きの歯磨き保持具つき水切りコップ立ては、外観デザインがシンプルで好ましく部品製造が容易でコストもアップしないという効果がある。
【図面の簡単な説明】
【００３１】
【図１】  本発明の請求項１の水切りコップの斜視図
【図２】  本発明の請求項１の水切りコップの側面図
【図３】  本発明の請求項１の水切りコップの平面図
【図４】  本発明の請求項１の水切りコップの図３に示すＡ−Ｂ線の断面図
【図５】  本発明の請求項１の水切りコップの他の実施例を示す斜視図
【図６】  本発明の請求項１の水切りコップの他の実施例を示す図５の側面図
【図７】  本発明の請求項１の水切りコップの他の実施例を示す図５の平面図
【図８】  本発明の請求項１の水切りコップの他の実施例の図７に示すＣ−Ｄ線の断面図
【図９】  本発明の請求項１の水切りコップの他の実施例を示す斜視図
【図１０】  本発明の請求項１の水切りコップの他の実施例を示す図９の側面図
【図１１】  本発明の請求項１の水切りコップの他の実施例を示す図９の平面図
【図１２】  本発明の請求項１の水切りコップの他の実施例を示す図９の正面図
【図１３】  本発明の請求項１の水切りコップの他の実施例を示す図９の平面図
【図１４】  本発明の請求項１の水切りコップの他の実施例の図１３に示すＥ−Ｆ線の断面図
【図１５】  本発明の請求項１の水切りコップの他の実施例を示す斜視図
【図１６】  本発明の請求項１の水切りコップの他の実施例を示す図１５の側面図
【図１７】  本発明の請求項１の水切りコップの他の実施例を示す側面図
【図１８】  本発明の請求項１の水切りコップの他の実施例を示す側面図
【図１９】  本発明の請求項２のコップ立ての斜視図
【図２０】  本発明の請求項２のコップ立ての倒立斜視図
【図２１】  本発明の請求項２のコップ立ての平面図
【図２２】  本発明の請求項２のコップ立ての下部面図
【図２３】  本発明の請求項２のコップ立ての側面図
【図２４】  本発明の請求項２のコップ立ての図２１に示すＧ−Ｈ線の断面図
【図２５】  本発明の請求項１の水切りコップと請求項２のコップ立ての使用状態を示す斜視図
【図２６】  本発明の請求項１の水切りコップと倒立した請求項２のコップ立てのキャップとしての使用状態を示す斜視図
【図２７】  本発明の請求項１の水切りコップと請求項２のコップ立ての使用状態と歯ブラシ立ての使用状態を示す斜視図
【図２８】  本発明の請求項１の水切りコップと倒立した請求項２のコップ立てのキャップとしての使用状態と歯ブラシ立ての使用状態を示す斜視図
【図２９】  本発明の請求項１の水切りコップと請求項２のコップ立ての使用状態を示す側面図
【図３０】  本発明の請求項１の水切りコップと請求項２のコップ立ての使用状態を示す断面図
【図３１】  本発明の請求項１の水切りコップと倒立した請求項２のコップ立てのキャップとしての使用状態を示す側面図
【図３２】  本発明の請求項１の水切りコップと倒立した請求項２のコップ立てのキャップとしての使用状態を示す断面図
【図３３】  本発明の請求項２のコップ立ての分解部品を示す斜視図
【図３４】  本発明の請求項２のコップ立てに設けた水溜め台座を示す平面図
【図３５】  本発明の請求項２のコップ立てに設けた水溜め台座を示す側面図
【図３６】  本発明の請求項２のコップ立てに設けた水溜め台座の図３４に示すＩ−Ｊ線の断面図
【図３７】  本発明の請求項２のコップ立てに設けた着脱自在水切りコップ乗せを示す斜視図
【図３８】  本発明の請求項２のコップ立てに設けた着脱自在水切りコップ乗せを示す正面図
【図３９】  本発明の請求項２のコップ立てに設けた着脱自在水切りコップ乗せを示す側面図
【図４０】  本発明の請求項２のコップ立てに設けた着脱自在水切りコップ乗せの図３８に示すＫ−Ｌ線の断面図
【図４１】  本発明の請求項２のコップ立てに設けた着脱自在歯ブラシ立てを示す斜視図
【図４２】  本発明の請求項２のコップ立てに設けた着脱自在歯ブラシ立てを示す平面図
【図４３】  本発明の請求項２のコップ立てに設けた着脱自在歯ブラシ立ての図４２に示すＭ−Ｎ線の断面図
【図４４】  本発明の請求項２のコップ立てに設けた着脱自在歯ブラシ立てを示す側面図
【図４５】  本発明の請求項２のコップ立ての他の実施例を示す斜視図
【図４６】  本発明の請求項１の水切りコップと請求項２のコップ立ての他の実施例の図４５の水溜めを倒立させてキャップとして使用した状態を示す斜視図
【図４７】  本発明の請求項３のコップ立ての斜視図
【図４８】  本発明の請求項３のコップ立てと請求項１の水切りコップの使用状態を示す斜視図
【図４９】  本発明の請求項３のコップ立ての部品の分解斜視図
【図５０】  本発明の請求項３のコップ立ての平面図
【図５１】  本発明の請求項３のコップ立ての正面図
【図５２】  本発明の請求項３のコップ立ての断面図
【図５３】  本発明の請求項３のコップ立てと請求項１の水切りコップの使用状態を示す側面図
【図５４】  本発明の請求項３のコップ立てと請求項１の水切りコップの使用状態を示す断面図
【図５５】  従来例を示す斜視図
【図５６】  従来例の使用状態を示す斜視図
【発明を実施するための形態】
【００３２】  以下、本発明の請求項１に記載の水切りコップの実施の形態を説明する。
（イ）請求項１記載の水切りコップの実施例１として、図１、図２、図３に示すように取手付き水切りコップのコップ本体（１）のコップ外周面（５）の適度な一部箇所に設けた取手（２）のネック上部箇所に適度な巾と深さの窪み（６）を設ける。
（ロ）前記請求項１記載の該水切りコップの取手（２）のネック上部箇所に設けた窪み（６）の最上部箇所の形状は、図２に示すような適度な湾曲Ｒ（７）や、図１７に示すような適度な傾斜（１２）のような上部に向かって広くなる形状や、または図１８に示すような直角コーナー（１３）を設ける。
（ハ）前記請求項１記載の該水切りコップの取手（２）のネック上部箇所に設けた窪み（６）の窪み底部（８）の形状は、図２に示すような湾曲Ｒの形状や、または図１８に示すような直角形状の窪み底部（８）を設ける。
（ニ）前記請求項１記載の図２に示すような該水切りコップの取手（２）のネック上部箇所に設けた窪み（６）の深さは、該水切りコップを倒立させて前記窪み（６）を請求項２記載のコップ立てに設けた図１９に示すような着脱自在水切りコップ乗せ（１５）や、請求項３記載のコップ立てに設けた図４７に示すような着脱自在水切りコップ乗せ（１５）に乗せた場合に、深さが浅すぎて該水切りコップが離脱落下しない程度の適度な深さを設ける。
（ホ）前記請求項１記載の該水切りコップの全体の形状構造は、図１に示すようにコップ本体（１）に於いては最上部を開口した円形状や、または多角形のコップ開口部（３）を設け、下部を底板にした円形状や、または多角形のコップ底部（４）を設け、周囲をコップ底部（４）に沿って下から上にコップ開口部（３）まで立ち上げた壁部分を設けて内部を空洞にしたコップ外周面（５）を設け、コップ本体（１）のコップ外周面（５）一部箇所に設ける取手（２）の取り付け位置高は、コップ開口部（３）全体にキャップが被せられる適度な位置高に該取手（２）の最上部を下げて設ける。
【００３３】  以下、本発明の請求項２に記載のコップ立ての実施の形態を次に説明する。
請求項２記載のコップ立ての実施例１として、図１９に示すような卓上置きの水溜めおよび歯ブラシ立て付き水切りコップ立ての台座の周囲縁と底部を残して請求項１記載の該水切りコップの開口部（３）外周縁がちょうど収まる形状にくり抜いた水溜め台座（１４）を設け、前記水溜め台座（１４）の一部箇所を側面に適度に張り出し設け、前記張り出し箇所の適度な上面に差し込み式の着脱自在水切りコップ乗せ（１５）を立ち上げ設け、前記着脱自在水切りコップ乗せ（１５）の厚み巾を該水切りコップに設けた窪み（６）の巾よりやや適度に狭い厚み巾に設けて両者間に適度な余裕空間を設け、前記着脱自在水切りコップ乗せ（１５）の最上部箇所の断面形状を図２４のコップ乗せ湾曲Ｒ（１９）に示すような湾曲や逆Ｖ字形等の形をした上方に向かって狭くなる形状に設け、前記着脱自在水切りコップ乗せ（１５）の適度な高さの側面箇所部分に、互いに凹部を設けた又は凹凸部を設けた差し込み式の着脱自在歯ブラシ立て（１６）をせり出し設ける。
【実施例】
【００３４】  以下、本発明の請求項１に記載の実施例１の図１〜図４以外の水切りコップのその他のバリエーションの実施例２，実施例３，実施例４を次に説明する。
（イ）図１〜図４の該水切りコップの実施例１以外のバリエーションの実施例２を図面に基づいて説明すると、図１５に示すような取手付きの該水切りコップのコップ本体（１）に設けた取手（２）のネックおよび取手（２）の立ち上がり保持部を除く上部一部箇所に、適度な巾と深さの窪み（６）を設ける。
（ロ）図１〜図４の該水切りコップの実施例１以外のバリエーションの実施例３を図面に基づいて説明すると、図５〜図８に示すような取手付きの該水切りコップのコップ本体（１）に設けた取手（２）ネック近くのコップ本体（１）の上部箇所に、適度な巾と深さの窪み（６）を設ける。
（ハ）図１〜図４の該水切りコップの実施例１以外のバリエーションの実施例４を図面に基づいて説明すると、図９〜図１４に示すような取手無しの該水切りコップのコップ本体（１）の上部一部箇所に適度な巾と深さの窪み（６）を設ける。
（ニ）前記実施例２，３，４の該水切りコップに設けた窪み（６）の最上部箇所形状は、図１６、図６、図１０に示すような湾曲Ｒ（７）や図１７に示すような傾斜（２３）のような上部に向かって広くなる形状や、または図１８に示すような直角コーナー（２７）の形状を設ける。
（ホ）前記実施例２，３，４の該水切りコップに設けた窪み（６）の窪み底部（８）の形状は、図１６、図６、図１０に示すような窪み底部（８）の湾曲Ｒ形状や、または図１８に示すような直角形状の窪み底部（８）を設ける。
（ヘ）前記実施例２，３，４の該水切りコップに設けた窪み（６）の深さは、請求項２や請求項３に記載のコップ立てに設けた図１９や図４７に示す着脱自在水切りコップ乗せ（１５）に、該水切りコップを倒立させ窪み（６）を差込み乗せた場合に深さが浅すぎて該水切りコップが離脱落下しない程度の適度な深さを設ける。
（ト）前記実施例２，３，４の該水切りコップの全体の形状構造は、実施例２に於いては図１５、図１６、実施例３に於いては図５〜図８、実施例４に於いては図９〜図１４に示すように、上方から見た場合は最上部を開口した円形状や、または多角形の形状のコップ開口部（３）を設け、下方から見た場合は下部を底板にした円形状や、または多角形の形状のコップ底部（４）を設け、周囲をコップ底部（４）の形状に沿って下から上にコップ開口部（３）まで立ち上げた壁部分を設け内部を空洞にしたコップ外周面（５）を設け、実施例２と実施例３の取手付き該水切りコップのコップ本体（１）のコップ外周面（５）一部箇所に設ける取手（２）の取り付け位置高は、コップ開口部（３）全体にキャップが被せられる適度な位置高に該取手（２）の最上部を下げて設ける。
【実施例】
【００３５】  以下、本発明の請求項３に記載のコップ立ての実施の形態を、請求項２に記載の実施例１のコップ立て以外のその他のバリエーション実施例２として次に説明する。
（イ）請求項３記載のコップ立ての実施例として、図４７に示すような卓上置きの歯磨き保持具付き水切りコップ立ての歯磨き保持具（１７）の側面周囲に、請求項１記載の該水切りコップの巾に応じた適度な巾と高さの差込み式の着脱自在水切りコップ乗せ（１５）を設ける。
（ロ）前記請求項３記載の該コップ立ての図４７に示すような卓上置きの歯磨き保持具付き水切りコップ立てに設けた着脱自在水切りコップ乗せ（１５）の最下部箇所には、転倒防止脚（２０）を設ける。
（ハ）前記請求項３記載の該コップ立ての図４９に示すような卓上置きの歯磨き保持具付き水切りコップ立てに設けた着脱自在水切りコップ乗せ（１５）の内側側面箇所には、着脱自在差込み（２３）を設ける。
（ニ）前記請求項３記載の該コップ立ての図５４に示すような卓上置きの歯磨き保持具付き水切りコップ立てに設けた着脱自在水切りコップ乗せ（１５）の最上部のコップ乗せ湾曲Ｒ（１９）の断面形状は、上方への湾曲や逆Ｖ字形等の形をした、上方に向かって狭くなる形状を設ける。
（ホ）前記請求項３記載の該コップ立ての図５３に示すような卓上置きの歯磨き保持具付き水切りコップ立てに設けた着脱自在水切りコップ乗せ（１５）の最上部のコップ乗せ湾曲Ｒ（１９）の厚み巾は、請求項１記載の該水切りコップの取手（２）に設けた窪み（６）の巾よりやや適度に狭い巾で設けて両者間に適度な余裕空間を設ける。
（ヘ）前記請求項３記載の該コップ立ての図４９に示すような卓上置きの歯磨き保持具付き水切りコップ立てに設けた歯磨き保持具（１７）の上部には歯ブラシ立て（２１）とハミガキ立て（２２）の穴を設け、左右両側面には着脱自在水切りコップ乗せ（１５）に設けた着脱自在差込み（２３）を差し込むための差込み穴（２４）を設け、下部には着脱自在台座（１８）を設ける。
（ト）前記請求項３記載の該コップ立ての図５１に示すような着脱自在水切りコップ乗せ（１３）の正面形状構造は、上部のコップ乗せ湾曲Ｒ（１９）の最上部部分は内側から外側にかけて水平レベル高に設け、転倒防止脚（２０）部分は着脱自在水切りコップ乗せ（１５）の外方向に設けた適度な外向き湾曲と、下部に設けた適度な上向き湾曲の交差する部分に設け、その先端下部は着脱自在台座（１８）の最下部レベルと同レベル高に設ける。【００３６】  本発明の、請求項１記載の水切りコップや他のバリエーションの水切りコップは、飲用、うがい、歯磨き、計量等に使用し、また水以外の全ての液体に於いても使用し、該水切りコップのサイズはジョッキ等も含めて大中小のサイズは問わない。【００３７】  本発明の、請求項１記載の水切りコップや他のバリエーションの水切りコップ、および請求項２記載のコップ立てや請求項３の他のバリエーションのコップ立ての構造材質は、プラスチック合成樹脂等の化学製品、金属、ガラス、陶磁器、木製、その他等のいずれの材質でも問わない。
本発明は以上のような構造である。
本発明を使用するときは、
（イ）請求項１記載の図１、図１５、図５に示す取手付きの水切りコップ、又は図９に示す取手無しの水切りコップを歯磨きや飲用やうがいや計量等で使用後、該コップ本体（１）を倒立させ、該水切りコップの取手上部箇所や、又は該水切りコップ本体上部一部箇所に設けた窪み（６）を、請求項２記載の図１９に示すコップ立てに設けた着脱自在水切りコップ乗せ（１５）や、請求項３記載の図４７に示すコップ立てに設けた着脱自在水切りコップ乗せ（１５）の上部のコップ乗せ湾曲Ｒ（１９）から差込み傾斜倒立して保持する。再度、歯磨きや飲用やうがいや計量等で使用する場合、傾斜倒立した該コップの取手（２）または該コップ本体（１）を掴み着脱自在水切りコップ乗せ（１５）より引き抜き正立させて使用する。
（ロ）請求項２記載の図１９のコップ立てを使用して請求項１記載の水切りコップを傾斜倒立して保持する場合、図２５、図２７、図２９，図３０に示すように該水切りコップの内部の残留水は重力と勾配の原理により自然落下して、水溜め台座（１４）に設けた水溜めに溜まり該コップ立ての周りを濡らさず、またゴミ、埃も入らない。
（ハ）請求項２記載の図１９のコップ立てを使用して歯磨きをする場合、図２７に示すように歯ブラシは該コップ立ての水切りコップ乗せ（１５）の側面一端に設けた着脱自在歯ブラシ立て（１６）を使用し収納出し入れする。
（ニ）請求項２記載の図１９のコップ立ての使用で歯磨きや飲用やうがいや計量等をする場合、該コップ立ては図２０のように倒立させて図２６や図２８に示すように、水溜め台座（１４）を該水切りコップのキャップとしても使用できる。
（ホ）請求項２記載の図１９のコップ立てを使用して飲用やうがいや計量等をする場合、着脱自在歯ブラシ立て（１６）は図３３に示すように着脱自在なので不用な場合は着けないで使用できる。また該コップ立てをキャップとして使用する場合も、着脱自在水切りコップ乗せ（１５）と着脱自在歯ブラシ立て（１６）は不用な場合は着けないで使用できる。
（ヘ）請求項３記載の図４７のコップ立てを使用して請求項１記載の水切りコップを傾斜倒立して保持する場合、図４８、図５３、図５４に示すように該水切りコップの内部の残留水は重力と勾配の原理により自然落下する。またゴミ、埃も入らない。
（ト）請求項３記載の図４７のコップ立ての使用の場合、該コップ立てに設けた着脱自在水切りコップ乗せ（１５）は使用人数に応じて２つあるいは１つと着脱加減調整して使用する。また、該コップ立てを置くスペースに応じて着脱自在水切りコップ乗せ（１５）を着脱加減調整して使用する。
（チ）請求項３記載の図４７のコップ立ての使用で歯磨きをする場合、歯ブラシとハミガキは、歯磨き保持具（１７）上部に設けた歯ブラシ立て（２１）とハミガキ立て（２２）の穴より出し入れ収納する。
（リ）請求項３記載の図４７のコップ立ての使用で歯磨き保持具（１７）や着脱自在台座（１８）の内部が汚れた場合、着脱自在なので必要に応じて取り外して掃除する。
【符号の説明】
【００３８】１    コップ本体
２    取手
３    コップ開口部
４    コップ底部
５    コップ外周面
６    窪み
７    湾曲Ｒ
８    窪み底部
９    コップ内底部
１０  コップ内壁部
１１  窪み壁
１２  傾斜
１３  直角コーナー
１４  水溜め台座
１５  着脱自在水切りコップ乗せ
１６  着脱自在歯ブラシ立て
１７  歯磨き保持具
１８  着脱自在台座
１９  コップ乗せ湾曲Ｒ
２０  転倒防止脚
２１  歯ブラシ立て
２２  ハミガキ立て
２３  着脱自在差込み
２４  差込み穴
２５  水切りコップ立て
２６  歯ブラシ
２７  歯ブラシ立て差込み
２８  歯ブラシ立て受け
【図１】
2012030027.tif 000003
【図２】
2012030027.tif 000004
【図３】
2012030027.tif 000005
【図４】
2012030027.tif 000006
【図５】
2012030027.tif 000007
【図６】
2012030027.tif 000008
【図７】
2012030027.tif 000009
【図８】
2012030027.tif 000010
【図９】
2012030027.tif 000011
【図１０】
2012030027.tif 000012
【図１１】
2012030027.tif 000013
【図１２】
2012030027.tif 000014
【図１３】
2012030027.tif 000015
【図１４】
2012030027.tif 000016
【図１５】
2012030027.tif 000017
【図１６】
2012030027.tif 000018
【図１７】
2012030027.tif 000019
【図１８】
2012030027.tif 000020
【図１９】
2012030027.tif 000021
【図２０】
2012030027.tif 000022
【図２１】
2012030027.tif 000023
【図２２】
2012030027.tif 000024
【図２３】
2012030027.tif 000025
【図２４】
2012030027.tif 000026
【図２５】
2012030027.tif 000027
【図２６】
2012030027.tif 000028
【図２７】
2012030027.tif 000029
【図２８】
2012030027.tif 000030
【図２９】
2012030027.tif 000031
【図３０】
2012030027.tif 000032
【図３１】
2012030027.tif 000033
【図３２】
2012030027.tif 000034
【図３３】
2012030027.tif 000035
【図３４】
2012030027.tif 000036
【図３５】
2012030027.tif 000037
【図３６】
2012030027.tif 000038
【図３７】
2012030027.tif 000039
【図３８】
2012030027.tif 000040
【図３９】
2012030027.tif 000041
【図４０】
2012030027.tif 000042
【図４１】
2012030027.tif 000043
【図４２】
2012030027.tif 000044
【図４３】
2012030027.tif 000045
【図４４】
2012030027.tif 000046
【図４５】
2012030027.tif 000047
【図４６】
2012030027.tif 000048
【図４７】
2012030027.tif 000049
【図４８】
2012030027.tif 000050
【図４９】
2012030027.tif 000051
【図５０】
2012030027.tif 000052
【図５１】
2012030027.tif 000053
【図５２】
2012030027.tif 000054
【図５３】
2012030027.tif 000055
【図５４】
2012030027.tif 000056
【図５５】
2012030027.tif 000057
【図５６】
2012030027.tif 000058